(57)【要約】【課題】使用により汚れたブラシを、面倒なく簡単に清潔なものとする。【解決手段】毛染めブラシ１４は、毛染め剤を収納するスクイズ容器１０に取り付けて使用し、カバーホルダ２０と使い捨てブラシカバー３０とを有する。カバーホルダには、カバー装着部２３と、そのカバー装着部に設けて容器からの毛染め剤を吐出する液吐出部と、カバー装着部の周囲に設ける被掛止部２５とを設ける。ブラシカバーには、カバー装着部に被せてカバーホルダに取り付けるカバー体３１と、そのカバー体をカバー装着部に被せたとき被掛止部に掛け止めるフック３２・３３と、カバー体に複数設ける突起３４と、カバー体に設けて液吐出部から吐出する毛染め剤を噴出する液噴出体３５とを設ける。図示例では、突起の一部が液噴出体を兼ねている。【選択図】　　　　図１
2004097449.tif 000002
【特許請求の範囲】
【請求項１】
噴出剤を収納する容器に取り付けて使用し、カバーホルダと使い捨てブラシカバーとを有し、
前記カバーホルダには、カバー装着部と、そのカバー装着部に設けて前記容器からの噴出剤を吐出する液吐出部と、前記カバー装着部の周囲に設ける被掛止部とを設け、
前記使い捨てブラシカバーには、前記カバー装着部に被せて前記カバーホルダに取り付けるカバー体と、そのカバー体を前記カバー装着部に被せたとき前記被掛止部に掛け止めるフックと、前記カバー体に複数設ける突起と、前記カバー体に設けて前記液吐出部から吐出する噴出剤を噴出する液噴出体とを設ける、
ことを特徴とする、噴出器用ブラシ。
【請求項２】
可撓性を持たせて前記カバー体を形成することを特徴とする、請求項１に記載の噴出器用ブラシ。
【請求項３】
前記液吐出部を突出して前記カバー装着部に設け、その液吐出部に被せて前記液噴出体を設けることを特徴とする、請求項１に記載の噴出器用ブラシ。
【請求項４】
請求項１ないし３のいずれか１に記載の噴出器用ブラシを備えることを特徴とする、噴出器。
【発明の詳細な説明】
【０００１】
【発明の属する技術分野】
この発明は、容器内の毛染め剤・養毛剤等の、液体や半固体の噴出剤を噴出し、容器に取り付けるブラシに付着して、ブラシに設ける突起で髪を梳きながら毛染めを行ったり、頭皮に養毛剤を付着して、ブラシに設ける突起でマッサージを行ったりする噴出器に関する。および、そのような噴出器において、容器に取り付けて使用する噴出器用ブラシに関する。
【０００２】
【従来の技術】
この種の噴出器用ブラシまたはそれを備える噴出器では、ブラシ部分が使用とともに汚れ、不衛生となったり詰まったりした。特に近年では、例えば毛染め剤としてジェル状のものを用いることから、目詰まりを生じ易く、ブラシ部分を定期的に洗浄する必要があった。しかしながら、ブラシ部分の洗浄は、非常に面倒であった。
【０００３】
そこで、従来の噴出器の中には、ブラシのくし歯部分を取り外せるようにしたものがある。例えば、特開平８−３８２３７号公報に記載のものでは、くし歯部分を交換し得るようにし、特開平８−１３１２３８号公報に記載のものでは、くし歯部分を取り外し得るようにし、特開平９−７５１２７号公報に記載のものでは、くし歯部分に補助くしを取り付け得るようにし、ブラシの一部を取り付け取り外しできるようにしたものがある。しかし、これらは、あくまでも噴出剤の吐出部位を変更し得るようにするものであって、くし歯部分の洗浄を簡単とするためのものではなかった。
【０００４】
従来の噴出器の中には、例えば特開平１１−２０６４５５号公報に記載されるように、くし歯部分を取り外して洗浄等を容易とするものもある。
【０００５】
【発明が解決しようとする課題】
ところが、上述のように、ブラシ部分からくし歯部分を取り外して洗浄を行うようにしても、やはり洗浄が面倒であることに変わりなかった。
【０００６】
そこで、この発明の第１の目的は、使用により汚れたブラシを、面倒なく簡単に清潔なものとし得るようにすることにある。
【０００７】
この発明の第２の目的は、ブラシ部分からくし歯部分を取り外し可能としてその取り外し取り付けを、特に容易とすることにある。
【０００８】
この発明の第３の目的は、噴出剤を効率的に噴出することにある。
【０００９】
この発明の第４の目的は、上記各目的を達成した噴出器用ブラシを備える噴出器を提供することにある。
【００１０】
【課題を解決するための手段】
このため、請求項１に記載の発明は、上述した第１の目的を達成すべく、
液体や半固体（例えばジェル状）の噴出剤を収納する容器に取り付けて使用し、カバーホルダと使い捨てブラシカバーとを有し、
カバーホルダには、カバー装着部と、そのカバー装着部に設けて容器からの噴出剤を吐出する液吐出部と、カバー装着部の周囲に設ける被掛止部とを設け、
使い捨てブラシカバーには、カバー装着部に被せてカバーホルダに取り付けるカバー体と、そのカバー体をカバー装着部に被せたとき被掛止部に掛け止めるフックと、カバー体に複数設ける突起と、カバー体に設けて液吐出部から吐出する噴出剤を噴出する液噴出体とを設ける、
ことを特徴とする。
【００１１】
請求項２に記載の発明は、上述した第２の目的を達成すべく、請求項１に記載の噴出器用ブラシにおいて、可撓性を持たせてカバー体を形成する、ことを特徴とする。
【００１２】
請求項３に記載の発明は、上述した第３の目的を達成すべく、請求項１に記載の噴出器用ブラシにおいて、液吐出部を突出してカバー装着部に設け、その液吐出部に被せて液噴出体を設ける、ことを特徴とする。
【００１３】
請求項４に記載の発明は、噴出器にあって、上述した第４の目的を達成すべく、請求項１ないし３のいずれか１に記載の噴出器用ブラシを備える、ことを特徴とする。
【００１４】
【発明の実施の形態】
以下、図面を参照しつつ、この発明の実施の形態につき説明する。
図１には、この発明による毛染めブラシを取り付けた噴出器を、一部を破断して示す。図２には、その噴出器を上から見て示す。
【００１５】
図中符号１０は、スクイズ容器である。スクイズ容器１０は、外周を持って潰すことによりステム１２から、液体または半固体の毛染め剤を吐出する。
【００１６】
図中符号１４は、毛染めブラシ（噴出器用ブラシ）である。毛染めブラシ１４は、スクイズ容器１０に取り付けて使用し、カバーホルダ２０と使い捨てブラシカバー３０とを有する。
【００１７】
カバーホルダ２０には、ステム１２をはめ込む筒状のステム連結部２１と、そのステム連結部２１にステム１２をはめ込んでスクイズ容器１０に取り付ける容器取付部２２と、使い捨てブラシカバー３０を取り付けるカバー装着部２３とを設ける。
【００１８】
カバー装着部２３は、例えばプラスチック材料を用いて一体成形でつくり、図３に示すように、偏平なかまぼこ形状とし、液吐出部２４と被掛止部２５・２６とを設ける。
【００１９】
液吐出部２４は、図示例では、一直線上に並べて等間隔置きに４つ突出して設ける。そして、スクイズ容器１０からの毛染め剤をカバーホルダ２０内の通路２７を通して導き、この液吐出部２４から吐出する。
【００２０】
被掛止部２５・２６は、カバー装着部２３の周囲から突出して設ける。すなわち、一方の被掛止部２５は、カバー装着部２３の頂部および底部から各々上下に突出して形成する。他方の被掛止部２６は、カバー装着部２３の両側に各々段部を設けて形成する。
【００２１】
使い捨てブラシカバー３０は、同じく例えばプラスチック材料を用いて一体成形でつくり、図４に示すように、矩形状とし、カバー体３１とフック３２・３３と突起３４と液噴出体３５とを設ける。
【００２２】
カバー体３１は、可撓性を持たせて形成する。一方のフック３２は、短い辺の中央から各々外向きに突出して形成する。他方のフック３３は、カバー体３１の両側を裏側にコ字状に折り曲げるようにして形成する。突起３４は、カバー体３１の表面から突出して複数整列してくし歯状に形成する。液噴出体３５は、同じくカバー体３１の表面から突出して形成する。
【００２３】
この例の液噴出体３５は、突起３４の一部を変形して形成している。すなわち、図５に示すように、突起３４の中間両側に液噴出口３６をあけ、その基部内を空洞３７とする。
【００２４】
そして、カバー体３１をカバー装着部２３に被せてフック３２・３３をそれぞれ被掛止部２５・２６に掛け止めたとき、空洞３７内にはめ込んで液吐出部２４に液噴出体３５を被せ、液吐出部２４から吐出する毛染め剤を両側の液噴出口３６から噴出し得るように組み付ける。
【００２５】
これにより、毛染めブラシ１４を髪に当てて突起３４で髪を梳きながら液噴出口３６から噴出した毛染め剤を髪に付着して髪を染める。
【００２６】
使用により毛染めブラシ１４が汚れたときには、フック３２・３３の掛け止めを外してカバーホルダ２０からブラシカバー３０を取り外し、ブラシカバー３０を新しいものと交換してカバーホルダ２０に取り付ける。これにより、面倒な突起３４部分の洗浄を行う必要がなく、毛染めブラシ１４を簡単に初期状態に戻すことができる。
【００２７】
ところで、上述した例では、毛染め剤が一液タイプの場合について説明したが、もちろん多液混合タイプでもよく、この場合には、複数の容器を備え、それらの容器からの液体や半固体を混合して噴出することとなる。
【００２８】
また、上述した例では、噴出剤である毛染め剤を、容器を潰すことにより押し出して噴出するスクイズ容器を用いる場合について説明したが、当然にエアゾール容器やポンプ容器を用いる場合にも適用することができる。
【００２９】
【発明の効果】
以上説明したとおり、この発明によれば、噴出器用ブラシが使用により汚れたり目詰まりを生じたりしたときには、カバーホルダから使い捨てブラシカバーを取り外して新しいものと交換し、その新しいブラシカバーをカバーホルダに取り付けるだけであるので、面倒な突起部分の洗浄を行う必要がなく、噴出器用ブラシを簡単に初期状態に戻して気持ちよく使用することができる。
【００３０】
このとき、カバーホルダの被掛止部に掛け止めるブラシカバーのフックを外すだけであるので、使い捨てブラシカバーの取り外しを簡単とすることができる。また、カバーホルダの被掛止部にブラシカバーのフックを掛け止めるだけであるので、新しいブラシカバーの取り付けを簡単とすることができる。
【００３１】
また、カバー体をカバー装着部に被せてカバーホルダにブラシカバーを取り付けるので、突起を複数設けるカバー体の全体を新しいものと交換することができる。
【００３２】
さらに、使い捨て部分であるブラシカバーには、カバー体に、カバーホルダの被掛止部に掛け止めるフックと、複数の突起と、カバーホルダの液吐出部から吐出する噴出剤を噴出する液噴出体とを設ける程度とするので、安価として使い捨てとしても維持費用を低く抑えることができる。
【００３３】
請求項２に記載の発明によれば、可撓性を持たせてカバー体を形成するので、カバー体を撓ませてカバー装着部に被せ、被掛止部にフックを掛け止めるようにしてカバーホルダに対するブラシカバーの取り付けを容易とすることができる。
【００３４】
請求項３に記載の発明によれば、液吐出部を突出してカバー装着部に設け、その液吐出部に被せて液噴出体を設けるので、液吐出部と液噴出体との接続を確実として、液吐出部から吐出する噴出剤を液噴出体から効率的に噴出することができる。
【００３５】
請求項４に記載の発明によれば、請求項１ないし３のいずれか１に記載の噴出器用ブラシを備えるから、上記各効果を有する噴出器用ブラシを備えた噴出器を提供することができる。
【図面の簡単な説明】
【図１】この発明による毛染めブラシを取り付けた噴出器を、一部を破断して示す側面図である。
【図２】その噴出器を上から見て示す平面図である。
【図３】その毛染めブラシのカバーホルダに設けるカバー装着部の斜視図である。
【図４】そのカバーホルダに取り付けるブラシカバーの斜視図である。
【図５】そのカバーホルダの液吐出部とブラシカバーの液噴出体との組付け説明図である。
【符号の説明】
１０　　スクイズ容器
１４　　毛染めブラシ（噴出器用ブラシ）
２０　　カバーホルダ
２１　　ステム連結部
２２　　容器取付部
２３　　カバー装着部
２４　　液吐出部
２５　　被掛止部
２６　　被掛止部
２７　　通路
３０　　ブラシカバー
３１　　カバー体
３２　　フック
３３　　フック
３４　　突起
３５　　液噴出体
３６　　液噴出口
３７　　空洞
【図１】
2004097449.tif 000003
【図２】
2004097449.tif 000004
【図３】
2004097449.tif 000005
【図４】
2004097449.tif 000006
【図５】
2004097449.tif 000007